(57)【要約】【課題】人工つけ爪を型押しにより造形させ、尚かつ型抜きデザインを施した人工つけ爪成型チップを提供する。【解決手段】型抜き爪型チップ（１）は型抜きデザイン（８）を施すため先端中央部の裏面に凸部（９）を設ける。型抜き爪型チップ（１）と爪型チップ（２）及び爪型チップ下（３）は表面全体にシリコンまたはフッ素の離型剤のコーティング（５）を一体化させた成型チップを設ける。自爪（１０）先端のサイド部分に接着させるための球体（４）を設けたことを特徴とする。【選択図】  図１
2004160110.tif 000002
【特許請求の範囲】
【請求項１】
型抜き爪型チップ（１）は型抜きデザイン（８）を施すため先端中央部の裏面に凸部（９）を設け、型抜き爪型チップ（１）と爪型チップ（２）及び爪型チップ下（３）は表面全体にシリコンまたはフッ素の離型材をコーティング（５）し一体化した成型チップを設け、自爪（１０）先端のサイド部分に接着させるための球体（４）を設けた人工つけ爪成型チップ。
【発明の詳細な説明】
【０００１】
【発明の属する技術分野】
本発明は、女性の指先を飾る人工つけ爪成型チップに関するものである。
【０００２】
【従来の技術】
従来、人工つけ爪を自爪に設けるには特殊な技術を要するため専門のネイルスクールなどで人工つけ爪の講習を受講し技術の収得をしなければ人工つけ爪を取り付けるのは困難であった。また、ネイルサロンのような専用のお店は料金が高額のため利用者は少なかった。
【０００３】
【発明が解決しようとする課題】
これには次のような欠点があった。
（イ）人工つけ爪を専用のサロンなどで取り付ける場合、施術時間が３時間程度を要するため忙しい人には利用しづらく、また高額であった。
（ロ）人工つけ爪は何度も樹脂を塗り重ねて形成するため技術を習得した人でも自爪に装着する場合、利き手以外の手で施術するのは困難であった。
（ハ）技術のない人が自分で装着することは技術的に難しかく困難であった。
（ニ）人工つけ爪の先端部にデザインを施すための空洞を設ける場合に専用のドリルなどで穴を開けていた。
（ホ）人工つけ爪のカーブなどのラインを設けるのに技術的な差が大きかった。
（ヘ）市販のつけ爪を装着させる場合、エッジやカーブなどのラインを合わせることができず自爪にジャスフィットしなかった。
本発明は、以上の欠点を解決するためになされたものである。
【０００４】
【課題を解決するための手段】
型抜き爪型チップ（１）は型抜きデザイン（８）を施すため先端中央部の裏面に凸部（９）を設ける。
型抜き爪型チップ（１）と爪型チップ（２）及び爪型チップ下（３）は表面全体にシリコンまたはフッ素の離型材をコーティング（５）加工し、一体化した成型チップを設ける。
自爪（１０）先端のサイド部分に接着させるための球体（４）を設けた人工つけ爪成型チップ。
本発明は、以上のような構成よりなる人工つけ爪成型チップである。
【０００５】
【発明の実施の形態】
以下、本発明の実施例について説明する。
型抜きデザイン（８）を施すため先端中央部の裏面に逆台形型の凸部（９）を設けた型抜き爪型チップ（１）と爪型チップ（２）及び爪型チップ下（３）は中央部にプラスチック素材の人工爪の爪型チップを設け、人工つけ爪の主剤アクリリック（１２）やレジンなどを離型させるため表面全体にシリコンまたはフッ素の離型材をコーティング（５）加工し一体化させた透明色又は各色からなる弾力性ある成型チップを設ける。各成型チップの形状は自爪（１０）よりも一回り大きめのサイズに合わせカーブラインを施し、厚みは１．５ｍｍ程度の成型チップとする。また爪型チップ下（３）のカーブラインは型抜き爪型チップ（１）と爪型チップ（２）に比べてカーブラインをゆるやかに設けることで人工つけ爪の厚みを調節させる。さらに人工つけ爪のサイド部分の厚み又は補強を施すための球体（４）を用い、素材はプラスチックで直径０．５ｍｍ程度の球体（４）を設ける。
本発明は、以上の構成になっていて、これを使用するときは、まず人工つけ爪を取り付ける爪以外の廻りに離型剤のカリ石鹸を刷毛などで塗り、自爪（１０）先端の両端部分に球体（４）をアクリリック（１２）を用い接着させる。
予め自爪のサイズに合わせた型抜き爪型チップ（１）又は爪型チップ（２）の裏側にアクリリック（１２）のパウダーを適量のせ専用リキッドを添加させ、自爪（１０）のエッジラインと球体（４）に型抜き爪型チップ（１）又は爪型チップ（２）をかぶせ合わせて自爪（１０）と密着するよう押さえ込み、さらに予め自爪のサイズに合わせた爪型チップ下（３）を自爪（１０）の裏側の爪の根本に合わせ、型抜き爪型チップ（１）又は爪型チップ（２）の中にあるアクリリック（１２）又はレジンが各爪型チップの形状に成型されるよう爪型チップ下（３）を型抜き爪型チップ（１）又は爪型チップ（２）の両端部分が重なるように押さえ人工爪を成型させる。アクリリック（１２）が硬化後に各爪型チップを取り外し、ホワイトブロックなどで研磨して人工つけ爪を設ける。尚、アクリリック（１２）が型抜き爪型チップ（１）又は爪型チップ（２）からはみ出した場合は素早くオレンジスティックなどの棒状の物で取り除く、若しくはアクリリック（１２）が硬化後、ペンチなどを用いて余分な端末部分を取り除き整える。また人工つけ爪を簡単に取り外す場合は予めカリ石鹸を自爪まで塗り込むことで無理なく取り外すことができる。
なお図（１３）及び（１４）に示すように型抜き爪型チップ（１）と爪型チップ（２）及び爪型チップ下（３）の素材はシリコンゴム又はフッ素ゴムでプラスチック程度の硬度を得ることができる場合はプラスチックを用いず、シリコンゴム又はフッ素ゴムの単体の各爪型チップも設ける。
【０００６】
【発明の効果】
このように自爪サイズに合わせた各種の爪型チップは弾性機能があるため型押しするだけで簡単にジャストフィットの人工つけ爪を設けることができ、時間と費用を格段に下げることが可能となる。また専門的な高度の技術も必要なくできることから本格的な人工つけ爪を誰でも楽しむことができる。
さらに従来の人工つけ爪は取り外しに時間を要し自爪を痛めるなどの難点があったが、予め自爪部分に離型剤としてカリ石鹸を塗布することで取り外しが容易になり、自爪を痛めることもなく用途に合わせて使い分けることができる。また型抜きデザインを設けたことにより色分けやアクセサリーなどを取り付けたり、さらにブランドのロゴを入れるなどのワンポイントを設けることができ人工つけ爪の付加価値を高める人工つけ爪成型チップである。
【図面の簡単な説明】
【図１】本発明の型抜き人工つけ爪の斜視図である。
【図２】本発明の人工つけ爪の斜視図である。
【図３】本発明の型抜き人工つけ爪の造形時の右側面図である。
【図４】本発明の人工つけ爪の造形時の右側面図である。
【図５】本発明の型抜き爪型チップの平面図である。
【図６】本発明の爪型チップの平面図である。
【図７】本発明の爪型チップ下の平面図である。
【図８】本発明の球体の正面図である。
【図９】本発明の球体の平面図である。
【図１０】本発明の自爪に爪型チップ下と球体を取り付けた平面図である。
【図１１】本発明の型抜き人工つけ爪の造形時の平面図である。
【図１２】本発明の人工つけ爪の造形時の平面図である。
【図１３】本発明の型抜き人工つけ爪の造形時の右断面図である。
【図１４】本発明の人工つけ爪の造形時の右断面図である。
【図１５】本発明の型抜き爪型チップの断面図である。
【図１６】本発明の爪型チップの断面図である。
【図１７】本発明の型抜き爪型チップと爪型チップ下の断面図である。
【図１８】本発明の爪型チップと爪型チップ下の断面図である。
【図１９】本発明の自爪に爪型チップ下と球体を取り付けた正断面図である。
【図２０】本発明の型抜き人工つけ爪の造形時の正断面図である。
【図２１】本発明の人工つけ爪の造形時の正断面図である。
【図２２】本発明の型抜き人工つけ爪の正面図である。
【図２３】本発明の人工つけ爪の正面図である。
【図２４】本発明の型抜き人工つけ爪及び人工つけ爪の正面図である。
【図２５】本発明の型抜き人工つけ爪及び人工つけ爪の分離正面図である。
【図２６】本発明の型抜き人工つけ爪及び人工つけ爪の分離平面図である。
【符号の説明】
１．型抜き爪型チップ
２．爪型チップ
３．爪型チップ下
４．球体
５．コーティング
６．型抜き人工つけ爪
７．人工つけ爪
８．型抜きデザイン
９．凸部
１０．自爪
１１．指先
１２．アクリリック
【図１】
2004160110.tif 000003
【図２】
2004160110.tif 000004
【図３】
2004160110.tif 000005
【図４】
2004160110.tif 000006
【図５】
2004160110.tif 000007
【図６】
2004160110.tif 000008
【図７】
2004160110.tif 000009
【図８】
2004160110.tif 000010
【図９】
2004160110.tif 000011
【図１０】
2004160110.tif 000012
【図１１】
2004160110.tif 000013
【図１２】
2004160110.tif 000014
【図１３】
2004160110.tif 000015
【図１４】
2004160110.tif 000016
【図１５】
2004160110.tif 000017
【図１６】
2004160110.tif 000018
【図１７】
2004160110.tif 000019
【図１８】
2004160110.tif 000020
【図１９】
2004160110.tif 000021
【図２０】
2004160110.tif 000022
【図２１】
2004160110.tif 000023
【図２２】
2004160110.tif 000024
【図２３】
2004160110.tif 000025
【図２４】
2004160110.tif 000026
【図２５】
2004160110.tif 000027
【図２６】
2004160110.tif 000028